(57)【要約】【課題】プロジェクタを用いて、プレゼンテーションなどを行う場合、忠実に色を再現しようとすると、周辺環境の色成分を減算した上で補正カーブを作り、これにより映像出力するため、画面全体の明るさが暗くなり、結果として表示映像の視認性が落ちるとい課題があった。【解決手段】ＲＧＢ映像信号を所定の割合で乗算し（５３）、前記乗算後の映像信号から色成分を検出する手段（５６）、及び前記乗算後の映像信号からＲＧＢの最小値を検出する手段（５１）を有し、かつ前記乗算後の映像信号から所定の割合で減算する手段（５２）を有する画像表示装置及び画像表示方法である。【選択図】図１
2005331555.tif 000002
【特許請求の範囲】
【請求項１】
赤（以下Ｒ）緑（以下Ｇ）青（以下Ｂ）の各映像信号を所定の割合で乗算する手段と、
前記乗算後の映像信号から色成分を検出する手段と、
前記乗算後の映像信号からＲＧＢの最小値を検出する手段と、
前記乗算後の映像信号から所定の割合で減算する手段と、
を備えたことを特徴とする画像表示装置。
【請求項２】
ＲＧＢの各映像信号にそれぞれ所定の値を加算する手段と、
前記加算後の映像信号から色成分を検出する手段と、
前記加算後の映像信号からＲＧＢの最小値を検出する手段と、
前記加算後の映像信号から所定の割合で減算する手段と、
を備えたことを特徴とする画像表示装置。
【請求項３】
前記所定の割合で乗算する手段が、画面全体の最大値に基づき、前記割合を決定することを特徴とする請求項１記載の画像表示装置。
【請求項４】
前記所定の値を加算する手段が、画面全体の最大値に基づき、前記値を決定することを特徴とする請求項２記載の画像表示装置。
【請求項５】
前記色成分を検出する手段は、ＲＧＢそれぞれの差分により原色成分と補色成分の６色成分に分割することを特徴とする請求項１及び請求項２記載の画像表示装置。
【請求項６】
前記所定の割合で減算する手段が、前記色成分検出結果と前記最小値検出結果に基づき行うことを特徴とする請求項１及び請求項２記載の画像表示装置。
【請求項７】
ＲＧＢの各映像信号を所定の割合で乗算するステップと、
前記乗算後の映像信号から色成分を検出するステップと、
前記乗算後の映像信号からＲＧＢの最小値を検出するステップと、
前記乗算後の映像信号から所定の割合で減算するステップと、
からなることを特徴とする画像表示方法。
【請求項８】
ＲＧＢの各映像信号にそれぞれ所定の値を加算するステップと、
前記加算後の映像信号から色成分を検出するステップと、
前記加算後の映像信号からＲＧＢの最小値を検出するステップと、
前記加算後の映像信号から所定の割合で減算するステップと、
からなることを特徴とする画像表示方法。
【発明の詳細な説明】
【技術分野】
【０００１】
本発明は、パソコン入力画像を照明下でも見えやすく表示させるための画像表示装置及び画像表示方法に関する。
【背景技術】
【０００２】
プロジェクタを用いて、プレゼンテーションなどを行う場合、部屋の照明やスクリーンなどの影響により、プレゼンテーターが作成したチャートをパソコン画面のように再現することが困難な場合が多い。そこでこの課題に対してデバイスの入出力特性や周辺の照明環境を考慮に入れたカラーマネジメントを行ない、より忠実な色再現を目指す取り組みがなされている。さらに、この周辺の照明環境や投写面の変化を認識させるため、光センサーで測色し、補正データをテーブルに格納させて入力映像信号をテーブルにて変換し、出力することで、忠実な色再現の向上を図ることが開示されている（特許文献１参照）。
【０００３】
また忠実な色再現を行うための色補正テーブルと明るさ優先の色補正を行うテーブルの２つを準備し、ＰＣ入力の時は明るさ優先のテーブルで色補正することが開示されている（特許文献２参照）。
【特許文献１】特開２００２−９４８２２号公報
【特許文献２】特開２００２−２９０７５９号公報
【発明の開示】
【発明が解決しようとする課題】
【０００４】
しかしながら、特許文献１（特開２００２−９４８２２号公報）では公報掲載の図６（本願の図１２）でも明らかなように忠実に色を再現しようとすると、周辺環境の色成分を減算した上で補正カーブを作り、これにより映像出力するため、画面全体の明るさが暗くなり、結果として表示映像の視認性は落ちている。
【０００５】
さらに特許文献２（特開２００２−２９０７５９号公報）では上記問題点に対応できるように忠実な色再現を行うための色補正テーブル以外に明るさ優先の色補正テーブルを持つことが開示されているが、明るさ優先モードでは忠実な色再現をしようとして暗くなった信号に入力レベルと同じ明度を維持させるため、白成分を加算した色補正テーブルにて表示させる。この結果白成分が加算された分、色は無彩色の色となるため、色の視認性が悪化するという課題があった。
【０００６】
本発明は、上記のこのような課題を考慮し、パソコン入力信号をプロジェクタで画像表示する際、照明下でも視認性を向上させるための画像表示装置及び画像表示方法を提供することを目的とするものである。
【課題を解決するための手段】
【０００７】
第１の本発明は、ＲＧＢの各映像信号を所定の割合で乗算する手段（５３）と、前記乗算後の映像信号から色成分を検出する手段（５６）と、前記乗算後の映像信号からＲＧＢの最小値を検出する手段（５１）と、前記乗算後の映像信号から所定の割合で減算する手段（５２）とを備えたことを特徴とする画像表示装置であるので、画面全体の明るさが落ちることなく白成分が減り補色、原色成分が増えるので色の視認性が上がる作用を持つ。
【０００８】
第２の本発明は、ＲＧＢの各映像信号にそれぞれ所定の値を加算する手段（５７）と、前記加算後の映像信号から色成分を検出する手段（５６）と、前記加算後の映像信号からＲＧＢの最小値を検出する手段（５１）と、前記加算後の映像信号から所定の割合で減算する手段（５２）とを備えたことを特徴とする画像表示装置であるので、より簡単な回路構成で明るさを落とすことなく色の視認性を上げる作用を持つ。
【０００９】
第３の本発明は、前記所定の割合で乗算する手段（５３）が、画面全体の最大値に基づき、前記割合を決定することを特徴とする請求項１記載の画像表示装置であるので、乗算する割合を最適化できる作用を持つ。
【００１０】
第４の本発明は、前記所定の値を加算する手段（５７）が、画面全体の最大値に基づき、前記値を決定することを特徴とする請求項２記載の画像表示装置であるので、加算する割合を最適化できる作用を持つ。
【００１１】
第５の本発明は、前記色成分を検出する手段（５６）が、ＲＧＢそれぞれの差分により原色成分と補色成分の６色成分に分割することを特徴とする請求項１及び請求項２記載の画像表示装置であるので、原色成分、補色成分すべての色の視認性を上げる作用を持つ。
【００１２】
第６の本発明は、前記所定の割合で減算する手段（５２）が、前記色成分検出結果と前記最小値検出結果に基づき行うことを特徴とする請求項１及び請求項２記載の画像表示装置であるので、最小値すなわち白レベルの量に応じた視認性向上が出来る作用を持つ。
【００１３】
第７の本発明は、ＲＧＢの各映像信号を所定の割合で乗算するステップと、前記乗算後の映像信号から色成分を検出するステップと、前記乗算後の映像信号からＲＧＢの最小値を検出するステップと、前記乗算後の映像信号から所定の割合で減算するステップからなることを特徴とする画像表示方法であるので、第１の本発明同様に画面全体の明るさが落ちることなく白成分が減り補色、原色成分が増えるので色の視認性が上がる作用を持つ。
【００１４】
第８の本発明は、ＲＧＢの各映像信号にそれぞれ所定の値を加算するステップと、前記加算後の映像信号から色成分を検出するステップと、前記加算後の映像信号からＲＧＢの最小値を検出するステップと、前記加算後の映像信号から所定の割合で減算するステップからなることを特徴とする画像表示方法であるので、第２の本発明同様、簡単な処理ステップで明るさを落とすことなく色の視認性を上げる作用を持つ。
【発明の効果】
【００１５】
以上のように、パソコンＲＧＢの各入力信号に対して、表示すべき色をより強調して表示させるので、照明環境下でも画像の視認性を向上させることができるという効果を有する。
【発明を実施するための最良の形態】
【００１６】
以下では、本発明にかかる実施の形態について、図面を参照しつつ説明を行う。
【００１７】
（実施の形態１）
はじめに、本発明の実施形態１の画像表示装置を、図１０を参照しながら説明する。
【００１８】
プロジェクタ１００は入力された映像信号を処理し、ＰＯＷＥＲボタン１５０を押すことで、図示されていない内部の光源及びライドバルブを用いて、投写レンズ１９０より拡大投写映像を出力する。入力としては、Ｖｉｄｅｏ入力１７０とＲＧＢ入力１６０を持ち、それぞれ外部の機器を接続する。またＵＳＢなどのマウスポートを備え、マウス１３０を接続してプロジェクタ１００のセッティング状態や、画面上を移動できるポインタとして動作させる。これは操作ボタン１４０でも同一の機能を実現させることが出来る。
【００１９】
次にプロジェクタ１００の詳細ブロック図を図９に示す。ＶＩＤＥＯ端子１１は、ＮＴＳＣ方式のコンポジットビデオ信号を入力するための端子である。
【００２０】
Ｓ−ＶＩＤＥＯ端子１２は、Ｓビデオ信号を入力するための端子である。
【００２１】
ＲＧＢ／ＹＰｂＰｒ端子１３は、ＲＧＢ信号またはＹＰｂＰｒ信号を入力するための端子である。
【００２２】
入力セレクタ２１は、ＶＩＤＥＯ端子１１から入力されたコンポジットビデオ信号、Ｓ−ＶＩＤＥＯ端子１２から入力されたＳビデオ信号の内から何れかの信号を選択するためのセレクタである。
【００２３】
Ｙ／Ｃ分離回路２３は、カラーデコーダ２２によって入力されたコンポジットビデオ信号を、Ｙ信号とＣ信号とに分離するための回路である。
【００２４】
カラーデコーダ２２は、Ｙ／Ｃ分離された信号または入力されたＹ／Ｃ信号をＹＰｂＰｒ信号にカラーデコードするためのデコーダである。
【００２５】
マトリクス回路２４は、ＲＧＢ／ＹＰｂＰｒ端子１３から入力されたＹＰｂＰｒ信号をＲＧＢ信号へ変換する際にマトリクス処理を行うための回路である。
【００２６】
入力セレクタ２５は、ＲＧＢ／ＹＰｂＰｒ端子１３から入力されたＲＧＢ信号、マトリクス回路２４によって生成されたＲＧＢ信号の内から何れかの信号を選択するためのセレクタである。
【００２７】
入力セレクタ２６は、カラーデコーダ２２によって生成されたＹＰｂＰｒ信号、入力セレクタ２５によって入力されたＲＧＢ信号の内から何れかのアナログ信号を選択するためのセレクタである。
【００２８】
Ａ／Ｄコンバータ３０は、入力セレクタ２６によって選択されたアナログ信号を、８ｂｉｔのデジタル信号へＡ／Ｄコンバートするためのコンバータである。
【００２９】
リサイズ・フリーズ・オンスクリーン発生回路４０は、Ａ／Ｄコンバータ３０によってＡ／Ｄコンバートされたデジタル信号を、ＬＣＤ（Ｌｉｑｕｉｄ  Ｃｒｙｓｔａｌ  Ｐａｎｅｌ）パネル９１〜９３の画素数に応じてリサイズし、オンスクリーンを重畳させるための回路である。
【００３０】
色変換回路５０は、リサイズ・フリーズ・オンスクリーン発生回路４０が出力したＲＧＢデータを所定の色へ変換する回路である。
【００３１】
メインマイコン７０は、電源（図示省略）制御、ファン（図示省略）制御、温度制御、入力切り換え制御など装置全体のあらゆる制御を行うとともに、外部インタフェース７１からのデータに基づき、色変換回路５０へ色座標データを転送したり、リサイズ・フリーズ・オンスクリーン発生回路４０に対してフリーズ制御を行う。
【００３２】
デジタル相展開回路８１〜８３は、ＬＣＤパネル９１〜９３の駆動ドライバ（図示省略）の動作速度を考慮して、色変換回路５０によって色補正されたデジタル信号を相展開するための回路である。
【００３３】
パネル駆動ＩＣ（Ｉｎｔｅｇｒａｔｅｄ  Ｃｉｒｃｕｉｔ）９０は、ＬＣＤパネル９１〜９３を駆動するための回路である。
【００３４】
ＬＣＤパネル９１〜９３は、色変換回路５０によって色補正され、デジタル相展開回路８１〜８３によって相展開されたデジタル信号をカラー表示するためのパネルである。
【００３５】
さらに図９に示した色変換回路５０の詳細ブロック図を図１に示す。リサイズ・フリーズ・オンスクリーン発生回路４０から出力されたＲＧＢ信号を画面の１フレーム内にわたり最大値を検出する画面ＭＡＸ検出部５４と乗算部５３を持ち、画面ＭＡＸ検出部５４の信号レベルを所定の値から割る除算部５５の結果に基づき乗算部５３の乗算量を決めて、映像信号の信号レベルを増幅させる。次いで、その乗算部５３の出力に対して、６軸検出部５６で色のＲＧＢＹ（Ｙｅｌｌｏｗ）Ｃ（Ｃｙａｎ）Ｍ（Ｍａｇｅｎｔａ）の検出とＭＩＮ検出部５１すなわちＲＧＢの最小であるから、白成分を検出することになるこの検出部の結果とから減算部５２の減算量を変化させて、色変換を行う。
【００３６】
図３は上記乗算部５３、ＭＡＸ検出部５４、除算部５５を示したものであり、ＲＧＢ信号をＭＴＸ（マトリクス）５４１にて変換しＹ，Ｐｂ，Ｐｒ信号のＹ信号をメモリ５４３に格納した後、１フレーム内にそれ以上のＹ信号が存在するときのみ比較器５４２の結果が成立し、メモリ５４３内の信号レベルが更新される。この結果を除算部５５で所定値より割られ、その係数が乗算部５３にて乗算される。
【００３７】
図５はＲＧＢＹＣＭの６軸検出部を示すものであり、乗算されたＲＧＢ信号からそれぞれＲ−Ｇ、Ｒ−Ｂ、Ｇ−Ｒ、Ｇ−Ｂ、Ｂ−Ｒ、Ｂ−Ｇの差分を５６１にて求め、Ｙｓ（Ｙｅｌｌｏｗ成分）はＲ−Ｂ、Ｇ−Ｂの差分量の小さい値のほうを選択することで得られる。同様にそれぞれの差分量から小さい値を選択することで、ＲＧＢＹＣＭそれぞれの成分を得る。
【００３８】
図６はＭＩＮ検出部５１を示す図であり、乗算されたＲＧＢ信号のうち、２回の比較５１１，５１２を行うことで、最も小さい信号レベルを得る。
【００３９】
図７は最終の色演算を示すブロック図であり、前述のＲＧＢＹＣＭのそれぞれの信号成分にＭＩＮ検出部５１のレベルを乗算器５９ａ〜５９ｆにて乗算し、最終的にＲＧＢ信号から減算部５２にて減算する量を決定する。
【００４０】
以上のような、このプロジェクタ１００における、本発明の画像表示装置の動作を説明する。
【００４１】
ＲＧＢ／ＹＰｂＰｒ端子１３から入力された、パソコンのＲＧＢ信号をＡ／Ｄ変換、リサイズした後、色変換回路５０に入力する。入力されたＲＧＢ信号は画面ＭＡＸ検出５４のＭＴＸ５４１にて輝度（Ｙ）信号レベルを算出する。次に１フレームでリセットをかけるメモリ５４３にそのＹ信号レベルを記憶させて画面内の最も大きな値のみが更新されるよう、比較器５４２にて決定する。この時、８ｂｉｔ入力レベル（最大２５５レベル）において２５５より小さい場合、例えば画面内で最高レベルが２００の時は、除算部５５にて２５５／２００＝１．２７５の乗算係数が求められ、乗算部５３にて１フレーム分のデータすべての画素に対して、ＲＧＢ信号が１．２７５倍される（図８（ｂ）参照）。さらにこの１．２７５倍したＲＧＢ信号の信号レベルがそれぞれ、Ｒ：２００レベル／２５６階調、Ｇ：１５０レベル／２５６階調、Ｂ：５０レベル／２５６階調、と認識すると、図８に示す通り、ＭＩＮ検出部５１にて検出できる白成分はＲＧＢのうちの最小値であることから、白成分は５０レベルとなる。さらに６軸検出部５６にて６軸のそれぞれの成分を得る。上記のような画素レベルの場合、Ｒｓ成分とＹｓ成分がそれぞれ５０と１００として検出出来る。したがって、乗算器５９ａではＹｓ成分１００とＭＩＮ成分（白成分）５０とを乗算し、乗算器５９ｄではＲｓ成分５０とＭＩＮ成分（白成分）５０とを乗算する。減算部５２においては、まず補色成分のＹＣＭに対して前述の乗算結果の図示されていないｂｉｔシフトにより２５６分の１相当に値する２０レベルを加法混色におけるイエローの反対色にあたるＢより減算する。さらに原色成分ＲＧＢに対して前述の乗算結果の２５６分の１相当の１０レベルをＧ，Ｂより減算する。
【００４２】
このように色変換回路５０の入力はそれぞれ、１．２７５倍で明るさを上げた上で、Ｇが−１０、Ｂが−２０−１０＝−３０され、Ｒ及びＹ成分がより大きくなるので最終的にスクリーンに投写される映像において、Ｒ，Ｙ成分が濃くかつ、白成分が減るため、忠実な色再現ではないものの、照明下でのパソコン映像での、色の視認性を向上させて画像表示させることができる（図８（ｃ）参照）。また乗算部５３での乗算する係数は１フレームの全体から決定するので、映像が白つぶれすることなく最適な割合で乗算できる。
【００４３】
また本実施の形態ではＲ及びＹのみが色視認性が向上できているが、６軸検出を行って、色演算しているので、原色成分、補色成分すべての色の視認性を上げることができる。さらに色演算を行うに際し、最小値すなわち、白レベルの量に応じた処理を行っているので、白レベルが多いＲＧＢ入力信号ほど、効果を発揮させることができる。
【００４４】
（実施の形態２）
本発明の実施形態２の画像表示装置を、図１１を参照しながら説明する。
【００４５】
図１１は画像表示装置、すなわちプロジェクタ１００を用いた表示システムを示すものである。入力端子１６０に接続されたパソコン６１の画像をプロジェクタ１００を用いてスクリーン１１０に投写する。この時、プロジェクタ１００に対してリモコン６０は各機能の制御を行う。光センサ９４はスクリーン１１０の方向に向けて取り付けられており、照度を計測する。また、図４でも明らかなような、光センサ９４はメインマイコン７０に入力されている。
【００４６】
本実施の形態における、画像表示装置１００は実施の形態１とほぼ同じであるが、異なる点は色変換回路５０の処理内容である。
【００４７】
色変換回路５０に入力されたＲＧＢ信号は、図２に示すように画面の１フレーム内にわたり最大値を検出する画面ＭＡＸ検出部５４と加算部５７を持ち、画面ＭＡＸ検出部５４の信号レベルから、加算部５７にて加算する量を算出し、映像信号の信号レベルを上げる。次いで、その加算部５７の出力に対して、６軸検出部５６で色のＲＧＢＹＣＭの検出とＭＩＮ検出部５１にて白成分を検出し、６軸検出結果とＭＩＮ検出値により減算部５２の減算量を変化させて、色変換を行う。
【００４８】
図４は上記加算部５７、ＭＡＸ検出部５４、加算量算出部５８を示したものであり、ＲＧＢ信号をＭＴＸ（マトリクス）５４１にて変換しＹ，Ｐｂ，Ｐｒ信号のＹ信号をメモリ５４３に格納した後、１フレーム内にそれ以上のＹ信号が存在するときのみ比較器５４２の結果が成立し、メモリ５４３内の信号レベルが更新される。この結果を加算量算出部５８内の減算器５８２で差分を求めた後、その数値を入力とするルックアップテーブル（ＬＵＴ）５８１でＲＧＢ所定値を出力させ、加算部５７で入力信号と加算する。
【００４９】
以上のような、色変換回路５０における、本発明の画像表示装置の動作を説明する。
【００５０】
リサイズ・フリーズ・オンスクリーン発生回路４０の出力信号を色変換回路５０に入力すると、入力されたＲＧＢ信号は画面ＭＡＸ検出部５４のＭＴＸ５４１にて輝度（Ｙ）信号レベルを算出する。次に１フレームでリセットをかけるメモリ５４３にそのＹ信号レベルを記憶させて画面内の最も大きな値のみが更新されるよう、比較器５４２にて決定する。例えば画面サイズが１０２４×７６８画素で構成される画面の場合、このすべての画素に対してＭＴＸ処理し、メモリ５４３内の値と比較して最大値を更新する。その時最大値が８ｂｉｔ入力レベル（最大２５５レベル）において２００レベルの時、減算器５８２では２５５−２００＝５５のレベルがＬＵＴ５８１に入力される。ＬＵＴ５８１では入力される値に応じて、入力値が大きいほど、加算量を大きく、かつＲＧＢそれぞれに違うレベルもしくは同じレベルの加算量を算出して加算部５７にて加算する。本実施の形態においては、減算器５８２の結果が３０〜６０の時はＲＧＢ入力信号にそれぞれ、１５レベル加算する。
【００５１】
したがって、Ｒ：２００レベル／２５６階調、Ｇ：１５０レベル／２５６階調、Ｂ：５０レベル／２５６階調、という入力信号の場合は、Ｒ：２１５レベル／２５６階調、Ｇ：１６５レベル／２５６階調、Ｂ：６５レベル／２５６階調となり、後段の６軸検出、ＭＩＮ検出部へ入力される。以降の処理は実施の形態１同様に処理がなされ、ＭＩＮ検出部５１では６５レベルを検出し、６軸検出部５６では、Ｒｓ成分５０、Ｙｓ成分１００の値を得る。減算部５２では６軸検出結果とＭＩＮ検出結果により求められるので、それぞれ６５×１００の２５６分の１である２５レベルがＢより減算されるとともに、６５×５０の２５６分の１である１３がＢ，Ｇより減算される。したがって、出力信号としてはＲ：２１５レベル、Ｇ：１５２レベル、Ｂ：２７となり、Ｒ成分は５０が６３、Ｙ成分１００が１２５となるため、それぞれ色のゲインが上がり、結果として色の視認性が上がる効果が発揮される。
【００５２】
また光センサ９４を用いて、プロジェクタ１００の図示していない光源ランプが点灯する前にスクリーン方向の照度を測定しこの照度測定結果を基にＬＵＴの加算量を大きくしたり、２５６分の１を最終的に減算しているが、これを１２８分の１とすることで、より大きな効果を得ることが出来る。
【００５３】
さらに、以上説明した本発明の表示装置は、プロジェクタで述べているが、プロジェクタに限定されるものではなく、プラズマディスプレイ、液晶ディスプレイなどの一般的なディスプレイで実現できるものである。
【００５４】
また、本発明の処理はソフトウェア的に実現しても良く、画像表示装置に限定されるものではなく、表示方法そのものも有効であることは言うまでもない。
【産業上の利用可能性】
【００５５】
本発明にかかる画像表示装置及び画像表示方法は、パソコンＲＧＢ入力信号に対して、表示すべき色をより強調して表示させるので、照明環境下でも画像の視認性を向上させることができるという効果を有し、パソコン入力画像を表示させるための画像表示の用途に適用出来る。
【図面の簡単な説明】
【００５６】
【図１】本発明の実施の形態１の色変換回路を示すブロック図
【図２】本発明の実施の形態２の色変換回路を示すブロック図
【図３】本発明の実施の形態１の信号レベルの増幅を示すブロック図
【図４】本発明の実施の形態２の信号レベルの増幅を示すブロック図
【図５】本発明の実施の形態１，形態２の６軸検出を示すブロック図
【図６】本発明の実施の形態１，形態２の最小値検出を示すブロック図
【図７】本発明の実施の形態１，形態２の色演算を示すブロック図
【図８】本発明の実施の形態１，形態２による入力信号レベルと色変換処理後の信号レベルを示す図
【図９】本発明の実施の形態のプロジェクタを示す詳細ブロック図
【図１０】本発明の実施の形態１のプロジェクタ外観図
【図１１】本発明の実施の形態２を説明する画像表示システム図
【図１２】従来例における補正カーブを示すグラフ
【符号の説明】
【００５７】
１１  ＶＩＤＥＯ端子
１２  Ｓ−ＶＩＤＥＯ端子
１３  ＲＧＢ／ＹＰｂＰｒ端子
２１  入力セレクタ
２２  カラーデコーダ
２３  Ｙ／Ｃ分離回路
２４  マトリクス回路
２５  入力セレクタ
２６  入力セレクタ
３０  Ａ／Ｄコンバータ
４０  リサイズ・フリーズ・オンスクリーン発生回路
５０  色変換回路
５１  ＭＩＮ（白）検出部
５２  減算部
５３  乗算部
５４  画面ＭＡＸ検出部
５５  除算部
５６  ６軸検出部
５７  加算部
５８  加算量算出部
６０  リモコン
６１  パソコン
７０  メインマイコン
７１  外部インタフェース
８１〜８３  デジタル相展開回路
９０  パネル駆動ＩＣ
９１〜９３  ＬＣＤパネル
１００  プロジェクタ
１１０  スクリーン
１３０  マウス
１４０  操作ボタン
１５０  ＰＯＷＥＲボタン
１６０  ＲＧＢ入力端子
１７０  Ｖｉｄｅｏ入力端子
１９０  投写レンズ
【図１】
2005331555.tif 000003
【図２】
2005331555.tif 000004
【図３】
2005331555.tif 000005
【図４】
2005331555.tif 000006
【図５】
2005331555.tif 000007
【図６】
2005331555.tif 000008
【図７】
2005331555.tif 000009
【図８】
2005331555.tif 000010
【図９】
2005331555.tif 000011
【図１０】
2005331555.tif 000012
【図１１】
2005331555.tif 000013
【図１２】
2005331555.tif 000014